(57)【要約】【課題】被収容物を安定的または見栄え良く支持する支持部材を有しつつ経済的かつ簡単に組み立てることができる物品収容ケースを提供する。【解決手段】物品収容ケース１００は、物品収容ケース１００の周壁を構成する第１側壁１０１、第２側壁１０２、第３側壁１０３および第４側壁１０４のうちの第１側壁１０１および第３側壁１０３に斜面板１１４および載置本体板１１１を備えている。斜面板１１４は、第１側壁１０１よりも若干狭い幅で図示下方に延びる板状に形成されており、折り部１１６ａ，１１６ｂを備えて三つ折りにされる支持部１１５と載置本体板１１１に挿し込まれた状態で被収容物ＷＫを支持する斜面部１１６を備えている。載置本体板１１１は、第３側壁１０３よりも若干狭い幅で図示下方に延びる板状に形成されており、挿し込み凹部１１２および起立片１１３ａ，１１３ｂを備えている。【選択図】  図１
2019023092.tif 000002
【特許請求の範囲】
【請求項１】
被収容物が載置される平面視で方形の載置板と、
前記載置板における少なくとも３辺にそれぞれ起立する第１側壁、第２側壁および第３側壁とを備えた物品収容ケースであって、
前記第１側壁、前記第２側壁および前記第３側壁は、
前記物品収容ケースの周方向に折り部を介して繋がった１枚の板状体で構成されており、
前記載置板は、
前記物品収容ケースにおける互いに対向する前記第１側壁および前記第３側壁のうちの一方から折り部を介して他方側に延びる載置本体板と、
前記物品収容ケースにおける互いに対向する前記第１側壁および前記第３側壁のうちの前記他方から折り部を介して前記一方側に延びる斜面板とを備え、
前記斜面板は、
折り曲げられた状態で前記載置本体板に連結されることで傾斜面を形成することを特徴とする物品収容ケース。
【請求項２】
請求項１に記載した物品収容ケースにおいて、さらに、
前記載置板の四方を囲むために前記第３側壁に折り部を介して一体的に繋がった第４側壁を備え、
前記第１側壁および前記第４側壁は、
互いに隣接する各辺に互いを連結するための連結部を備えることを特徴とする物品収容ケース。
【請求項３】
請求項１または請求項２に記載した物品収容ケースにおいて、
前記斜面板は、
同斜面板が形成された前記他方側となる前記第１側壁側または前記第３側壁側と前記一方側となる前記第１側壁側または前記第３側壁側とにそれぞれ折られた状態で前記載置本体板に連結されていることを特徴とする物品収容ケース。
【請求項４】
請求項１ないし請求項３のうちのいずれか１つに記載した物品収容ケースにおいて、さらに、
前記載置板の下方に配置されて同載置板の下面を覆う底板を備えることを特徴とする物品収容ケース。
【請求項５】
請求項１ないし請求項４のうちのいずれか１つに記載した物品収容ケースにおいて、
前記載置本体板は、
同載置本体板に対して折り曲げられて起立する小片状の起立片を有することを特徴とする物品収容ケース。
【発明の詳細な説明】
【技術分野】
【０００１】
本発明は、商品や製品などの被収容物を見栄え良く収容することができる物品収容ケースに関する。
【背景技術】
【０００２】
従来から、収容対象物である被収容物を安定性および収容状態の見栄えを良くするために仕切りを設けた物品収容ケースがある。例えば、下記特許文献１には、段ボール製の板材を折って４つの収容空間を形成した中仕切りを箱内の収容空間に配置した内容物収納箱が開示されている。
【先行技術文献】
【特許文献】
【０００３】
【特許文献１】特開２０１５−７６１号公報
【０００４】
しかしながら、このような上記特許文献１に記載された内容物収納箱などの物品収容箱においては、中仕切りなどの被収容物を安定的または見栄え良く支持する支持部材が物品収容箱と別体で構成されているため、製造上のコスト負担および組立作業負担が大きいという問題がある。
【０００５】
本発明は上記問題に対処するためなされたもので、その目的は、被収容物を安定的または見栄え良く支持する支持部材を有しつつ経済的かつ簡単に組み立てることができる物品収容ケースを提供することにある。
【発明の概要】
【０００６】
上記目的を達成するため、本発明の特徴は、被収容物が載置される平面視で方形の載置板と、載置板における少なくとも３辺にそれぞれ起立する第１側壁、第２側壁および第３側壁とを備えた物品収容ケースであって、第１側壁、第２側壁および第３側壁は、物品収容ケースの周方向に折り部を介して繋がった１枚の板状体で構成されており、載置板は、物品収容ケースにおける互いに対向する第１側壁および第３側壁のうちの一方から折り部を介して他方側に延びる載置本体板と、物品収容ケースにおける互いに対向する第１側壁および第３側壁のうちの他方から折り部を介して前記一方側に延びる斜面板とを備え、斜面板は、折り曲げられた状態で載置本体板に連結されることで傾斜面を形成することにある。この場合、斜面板の折り曲げは、折るおよび曲げるのうちの少なくとも一方である。
【０００７】
このように構成した本発明の特徴によれば、物品収容ケースは、互いに連結されることで傾斜面を構成する斜面板と載置本体板とが物品収容ケースの周壁のうちの互いに対向する第１側壁および第３側壁に互いに相手側に向かって延びて形成されているため、製造コストおよび組み立て作業負担を軽減することができる。
【０００８】
また、本発明の他の特徴は、前記物品収容ケースにおいて、さらに、載置板の四方を囲むために第３側壁に折り部を介して一体的に繋がった第４側壁を備え、第１側壁および第４側壁は、互いに隣接する各辺に互いを連結するための連結部を備えることにある。
【０００９】
このように構成した本発明の他の特徴によれば、物品収容ケースは、載置板の四方を囲むために第３側壁に折り部を介して一体的に繋がった第４側壁を備えているとともに、この第４側壁および第１側壁における互いに隣接する各辺に互いを連結するための連結部を備えているため、第１側壁と第４側壁とを連結部を介して連結することで載置板の四方を囲む箱状体を容易に組み立てることができる。
【００１０】
また、本発明の他の特徴は、前記物品収容ケースにおいて、斜面板は、同斜面板が形成された前記他方側となる第１側壁側または第３側壁側と前記一方側となる第１側壁側または第３側壁側とにそれぞれ折られた状態で載置本体板に連結されていることにある。
【００１１】
このように構成した本発明の他の特徴によれば、物品収容ケースは、斜面板は、同斜面板が形成された第１側壁側または第３側壁側に折られた後、載置本体板が形成された第１側壁側または第３側壁側に折られた２つの折り部によって互いに反対側に三つ折りされて蛇腹状に形成されているため、被収容物を平面上で弾性的に支持することで被収容物を安定的で衝撃の吸収性が良い状態で収容することができる。
【００１２】
また、本発明の他の特徴は、前記物品収容ケースにおいて、さらに、載置板の下方に配置されて同載置板の下面を覆う底板を備えていることにある。
【００１３】
このように構成した本発明の他の特徴によれば、物品収容ケースは、載置板の下方に配置されて同載置板の下面を覆う底板を備えているため、載置板の下面を直接保護しつつ緩衝材として機能して載置板および被収容物の損傷を防止することができる。
【００１４】
また、本発明の他の特徴は、前記物品収容ケースにおいて、載置本体板は、同載置本体板に対して折り曲げられて起立する小片状の起立片を有することにある。
【００１５】
このように構成した本発明の他の特徴によれば、物品収容ケースは、載置本体板が同載置本体板に対して折り曲げられて起立する小片状の起立片を有しているため、被収容物の位置ずれを防止して安定的に収容することができる。
【図面の簡単な説明】
【００１６】
【図１】本発明の一実施形態に係る物品収容ケースの使用状態を示す斜視図である。
【図２】図１に示す物品収容ケースの内部構造を説明するために第４側壁を開いた状態で示す斜視図である。
【図３】図１に示す物品収容ケースを展開した状態を示す展開平面図である。
【図４】図３に示す展開状態の物品収容ケースを箱状に組み立てる一過程を示した斜視図である。
【図５】図３に示す展開状態の物品収容ケースを箱状に組み立てる別の一過程を示した斜視図である。
【発明を実施するための形態】
【００１７】
以下、本発明に係る物品収容ケースの一実施形態について図面を参照しながら説明する。図１は、本発明に係る物品収容ケース１００の使用状態を示す斜視図である。また、図２は、図１に示す物品収容ケース１００の内部構造を説明するために第４側壁１０４を開いた状態で示す斜視図である。また、図３は、図１に示す物品収容ケース１００を展開した状態を示す展開平面図である。なお、本明細書において参照する各図は、本発明の理解を容易にするために一部の構成要素を誇張して表わすなど模式的に表していることがあるため、各構成要素間の寸法や比率などは異なっていることがある。この物品収容ケース１００は、食品を樹脂製の袋内に封入したパウチを被収容物ＷＫとして複数収容して梱包することができる包装箱である。
【００１８】
物品収容ケース１００は、物品収容ケース１００を構成する各部を一体的に配置した段ボール、ボール紙またはクラフト紙などの厚紙を切り抜いた板状体を組み立てることで構成されている。具体的には、物品収容ケース１００は、第１側壁１０１、第２側壁１０２、第３側壁１０３および第４側壁１０４をそれぞれ備えている。
【００１９】
第１側壁１０１、第２側壁１０２、第３側壁１０３および第４側壁１０４は、物品収容ケース１００における４つの側壁をそれぞれ構成する部分であり、物品収容ケース１００における周方向の延びる長方形状の板状に形成されている。これらの第１側壁１０１、第２側壁１０２、第３側壁１０３および第４側壁１０４は、物品収容ケース１００における周方向に沿って直列的に繋がった帯状に形成されている。この場合、第１側壁１０１、第２側壁１０２、第３側壁１０３および第４側壁１０４は、物品収容ケース１００として箱状に組み立てられたとき、第１側壁１０１と第３側壁１０３および第２側壁１０２と第４側壁１０４はそれぞれ互いに対向する側壁を構成するため、周方向の長さが互いに同じ長さに形成されている。
【００２０】
また、第１側壁１０１、第２側壁１０２、第３側壁１０３および第４側壁１０４における互いに隣接する境界部分には、折り部１０５がそれぞれ形成されている。折り部１０５は、第１側壁１０１、第２側壁１０２、第３側壁１０３および第４側壁１０４の各間で相互に折り易くするための部分であり、線状の圧縮痕またはミシン目などによって構成されている。これらの第１側壁１０１、第２側壁１０２、第３側壁１０３および第４側壁１０４における図示各上側には、蓋板１０６ａ，１０６ｂ，１０６ｃ，１０６ｄがそれぞれ形成されている。
【００２１】
蓋板１０６ａ，１０６ｂ，１０６ｃ，１０６ｄは、物品収容ケース１００における開口部１０７を覆う蓋を構成する部分であり、第１側壁１０１、第２側壁１０２、第３側壁１０３および第４側壁１０４の幅よりも若干狭い幅で図示上方にそれぞれ延びる長方形状に形成されている。この場合、蓋板１０６ａ，１０６ｂ，１０６ｃ，１０６ｄは、少なくとも互いに対向する蓋板１０６ａと蓋板１０６ｃまたは蓋板１０６ｂと蓋板１０６ｄによって開口部１０７を覆う大きさに形成される。
【００２２】
本実施形態においては、蓋板１０６ｂと蓋板１０６ｄとが互いに突き合わされることで開口部１０７の全体を覆う一方で、蓋板１０６ａおよび蓋板１０６ｃは蓋板１０６ｂおよび蓋板１０６ｄの各下方で互いに突き合わされることなく離間した状態で開口部１０７の一部を覆った状態で配置される。すなわち、蓋板１０６ａ，１０６ｂ，１０６ｃ，１０６ｄは、第１側壁１０１、第２側壁１０２、第３側壁１０３および第４側壁１０４から図示上方に向かってそれぞれ同じ突出量で延びて形成されている。
【００２３】
また、蓋板１０６ａ，１０６ｂ，１０６ｃ，１０６ｄは、第１側壁１０１、第２側壁１０２、第３側壁１０３および第４側壁１０４に対して前記折り部１０５と同様の折り部１０８を介して形成されている。なお、蓋板１０６ａ，１０６ｂ，１０６ｃ，１０６ｄは、物品収容ケース１００における開口部１０７を覆うことができればよいため、開口部１０７を覆うことができる１つまたは２つの蓋板で構成することもできる。
【００２４】
一方、これらの第１側壁１０１、第２側壁１０２、第３側壁１０３および第４側壁１０４における図示各下側には、前記折り部１０８と同様の折り部１０９を介して底板１１０ａ，１１０ｂ、載置本体板１１１および斜面板１１４がそれぞれ形成されている。底板１１０ａ，１１０ｂは、物品収容ケース１００における下面を構成する部分であり、第２側壁１０２および第４側壁１０４よりも若干狭い幅で図示下方にそれぞれ延びる長方形状に形成されている。すなわち、底板１１０ａ，１１０ｂは、蓋板１０６ｂ，１０６ｄと同じ大きさおよび形状に形成されている。
【００２５】
載置本体板１１１は、物品収容ケース１００内において被収容物ＷＫを載置するための部分であり、第３側壁１０３よりも若干狭い幅で図示下方に延びる方形の板状に形成されている。この場合、載置本体板１１１が図示下方に延びる長さは、特に限定されないが、対向する第１側壁１０１までの距離の半分以上でかつ同第１側壁１０１に達しない長さに形成するとよい。
【００２６】
この載置本体板１１１は、挿し込み凹部１１２および起立片１１３ａ，１１３ｂをそれぞれ備えている。挿し込み凹部１１２は、斜面板１１４を固定するための部分であり、斜面部１１７の挿し込み部１１８が挿し込み可能な切欠き形状に形成されている。本実施形態においては、挿し込み凹部１１２は、載置本体板１１１が第３側壁１０３から延びる方向に直交する幅方向両端部にそれぞれ長方形状に切り欠かれて構成されている。
【００２７】
起立片１１３ａ，１１３ｂは、載置本体板１１１または斜面板１１４上に載置される被収容物ＷＫの位置ずれを防止するための部分であり、載置本体板１１１に対して一部が凸状に切断されるとともに他の一部が折られることによって起立するように形成されている。この起立片１１３ａ，１１３ｂは、載置本体板１１１の幅方向中央部で前記挿し込み凹部１１２よりも第２側壁１０２側方向に並んで２つ起立するように形成されている。
【００２８】
斜面板１１４は、物品収容ケース１００内において被収容物ＷＫを傾斜した状態で載置するための部分であり、第１側壁１０１よりも若干狭い幅で図示下方に延びる板状に形成されている。この場合、斜面板１１４が図示下方に延びる長さは、載置本体板１１１に対して傾斜面を形成することができれば特に限定されないが、載置本体板１１１と同じ長さに形成することで効率的な材料取りができるとともに展開状態での保管性が向上する。
【００２９】
この斜面板１１４は、支持部１１５および斜面部１１６をそれぞれ備えている。支持部１１５は、斜面部１１６を支持する部分であり、斜面板１１４における第１側壁１０１側に板状に形成されている。この支持部１１５には、折り部１０５と同様の折り部１１６ａ，１１６ｂがそれぞれ形成されている。折り部１１６ａ，１１６ｂは、支持部１１５に斜面部１１７を弾性的に支持させるための部分であり、斜面板１１４の幅方向に沿って互いに平行に延びて形成されている。
【００３０】
この場合、折り部１１６ａは、斜面部１１７を第１側壁１０１側に折るための部分であり、支持部１１５の中央部に形成されている。また、折り部１１６ｂは、斜面部１１７を第３側壁１０３側に折るための部分であり、斜面部１１７との境界部分に形成されている。すなわち、折り部１１６ａ，１１６ｂは、互いに反対側に折られる部分である。また、この場合、支持部１１５は、第１側壁１０１側から折り部１１６ａに向かって幅が狭くなるように形成されており、物品収容ケース１００内で折り曲げ易くなっている。
【００３１】
斜面部１１７は、支持部１１５および載置本体板１１１にそれぞれ支持されて斜面を形成する部分であり、支持部１１５から板状に延びて形成されている。この場合、斜面部１１７は、被収容物ＷＫの少なくとも１／３以上を載置可能な大きさに形成されている。また、斜面部１１７は、折り部１１６ｂから挿し込み部１１８側に向かって幅が広くなるように形成されている。この場合、斜面部１１７の先端部の幅は、第２側壁１０２と第４側壁１０４との距離以下に形成するとよいが、同距離と同じまたは同距離も若干広く形成することで斜面部１１７の安定性を良くすることができる。そして、この斜面部１１７の先端部には、挿し込み部１１８が形成されている。
【００３２】
挿し込み部１１８は、載置本体板１１１の挿し込み凹部１１２に挿し込まれて斜面部１１７を固定する部分であり、斜面部１１７の先端部における幅方向両端部からそれぞれ張り出して形成されている。
【００３３】
また、第１側壁１０１、第２側壁１０２、第３側壁１０３および第４側壁１０４のうちの長尺方向の両端に形成された第１側壁１０１および第４側壁１０４の各端部には、連結部１１９ａ，１１９ｂがそれぞれ形成されている。
【００３４】
連結部１１９ａ，１１９ｂは、物品収容ケース１００を組み立てる際に第１側壁１０１と第４側壁１０４とを互いに連結するための部分であり、互いに反対方向に屈曲してスリットを形成する鉤状に形成されている。これらの連結部１１９ａ，１１９ｂは、第１側壁１０１および第４側壁１０４の各端部に対して物品収容ケース１００の内側方向に折り曲げ可能な状態で張り出して形成されている。
【００３５】
（物品収容ケース１００の作動）
次に、このように構成された物品収容ケース１００の作動について説明する。まず、作業者は、平面状に切り抜かれた物品収容ケース１００を箱状に組み立てる。具体的には、作業者は、図４示すように、３つの折り部１０５をそれぞれ同じ方向に折り曲げて第１側壁１０１と第４側壁１０４とを接近させて連結部１１９ａと連結部１１９ｂとを互いに引っ掛けることにより第１側壁１０１と第４側壁１０４とを互いに連結する。この場合、作業者は、連結部１１９ａ，１１９ｂを物品収容ケース１００の内側にそれぞれ折り曲げて互いに引っ掛ける。これにより、物品収容ケース１００は、連結部１１９ａ，１１９ｂが物品収容ケース１００の外側に露出して美観を損ねることを防止することができる。
【００３６】
次に、作業者は、図５に示すように、斜面板１１４の支持部１１５における折り部１１６ａ、１１６ｂをそれぞれ折るとともに折り部１０９を介して斜面板１１４を第１側壁１０１に対して物品収容ケース１００の内側に折る。次に、作業者は、載置本体板１１１を折り部１０９を介して第３側壁１０３に対して物品収容ケース１００の内側に略直角に折る。そして、作業者は、斜面板１１４の斜面部１１７における挿し込み部１１８を載置本体板１１１の挿し込み凹部１１２に挿し込む。
【００３７】
この場合、作業者は、挿し込み部１１８を挿し込み凹部１１２内に挿し込むだけでもよいが、挿し込み部１１８と挿し込み凹部１１２との挿し込み部分に接着剤を塗布して完全に両者を完全に固定することができる。これにより、作業者は、載置本体板１１１の先端部側に斜面部１１７を傾斜した状態で形成して斜面板１１４全体を載置本体板１１１で固定することができる。そして、作業者は、載置本体板１１１における２つの起立片１１３ａ，１１３ｂを載置本体板１１１の裏面側から押してそれぞれ起立させる。
【００３８】
次に、作業者は、底板１１０ａ，１１０ｂを折り部１０９を介して第２側壁１０２および第４側壁１０４に対して物品収容ケース１００の内側にそれぞれ略直角に折る。そして、作業者は、底板１１０ａの先端部と底板１１０ｂの先端部との突合せ部分を粘着テープで張り付けて底部を形成する。これにより、作業者は、蓋板１０６ａ〜１０６ｄが開いた状態の物品収容ケース１００を完成させることができる（図１参照）。
【００３９】
次に、作業者は、物品収容ケース１００内に被収容物ＷＫを収容する。具体的には、作業者は、物品収容ケース１００内における斜面部１１７上に被収容物ＷＫを載置した後、この斜面部１１７上に配置した被収容物ＷＫに隣接する載置本体板１１１上の位置に起立片１１３ａを介して配置するとともに、この載置本体板１１１上に配置した被収容物ＷＫに隣接する載置本体板１１１上の位置に起立片１１３ｂを介して配置する。これにより、作業者は、物品収容ケース１００内に３つの被収容物ＷＫを傾斜した状態で見栄え良くかつ安定的に収容することができる。なお、この場合、作業者は、物品収容ケース１００の内部に配置された被収容物ＷＫ上にエアキャップなどの緩衝材を充填させてもよい。
【００４０】
次に、作業者は、蓋板１０６ａ，蓋板１０６ｃを折り部１０９を介して第１側壁１０１および第３側壁１０３に対して物品収容ケース１００の内側にそれぞれ略直角に折った後、蓋板１０６ｂ，蓋板１０６ｄを折り部１０９を介して第２側壁１０２および第４側壁１０４に対して物品収容ケース１００の内側にそれぞれ略直角に折る。そして、作業者は、蓋板１０６ｂの先端部と蓋板１０６ｄの先端部との突合せ部分を粘着テープで張り付けて開口部１０７を閉塞する。これにより、作業者は、蓋板１０６ａ〜１０６ｄが閉じた状態の物品収容ケース１００を完成させることができ被収容物ＷＫを輸送または保管することができる。
【００４１】
物品収容ケース１００が輸送されている状態においては、物品収容ケース１００は、載置本体板１１１または斜面板１１４と底板１１０ａ，１１０ｂとによる二重底および３つ折りにされた斜面板１１４によって被収容物ＷＫを衝撃の吸収性が良い状態で収容することができる。また、物品収容ケース１００を開封するに際しては、作業者は、蓋板１０６ｂ，１０６ｄを閉じる粘着テープを剥がすことで蓋板１０６ｂ，１０６ｄを開いた後、蓋板１０６ａ，１０６ｃを開くことができる。この場合、物品収容ケース１００は、被収容物ＷＫを斜面板１１４によって直接または間接的に傾斜した状態で収容しているため、収容状態の美観を高めることができる。
【００４２】
上記作動説明からも理解できるように、上記実施形態によれば、物品収容ケース１００は、互いに連結されることで傾斜面を構成する斜面板１１４と載置本体板１１１とが物品収容ケース１００の周壁のうちの互いに対向する第１側壁１０１および第３側壁１０３に互いに相手側に向かって延びて形成されているため、製造コストおよび組み立て作業負担を軽減することができる。
【００４３】
さらに、本発明の実施にあたっては、上記実施形態に限定されるものではなく、本発明の目的を逸脱しない限りにおいて種々の変更が可能である。
【００４４】
例えば、上記実施形態においては、載置本体板１１１を第３側壁１０３に隣接して形成するとともに斜面板１１４を第１側壁１０１に隣接して形成した。すなわち、載置本体板１１１および斜面板１１４が、本発明に係る載置板に相当する。しかし、載置板は、載置本体板１１１を第１側壁１０１に隣接して形成するとともに、斜面板１１４を第３側壁１０３に隣接して形成することもできる。
【００４５】
また、上記実施形態においては、斜面板１１４は、三つ折り状態で載置本体板１１１に連結されている。しかし、斜面板１１４は、被収容物ＷＫを載置可能な傾斜面で構成されていればよく、２つ折りまたは４つ折り以上に折られて構成されていてもよい。さらに、斜面板１１４は、折られることなく円弧状に曲げられた状態で載置本体板１１１に連結されてもよい。
【００４６】
また、上記実施形態においては、物品収容ケース１００は、第１側壁１０１、第２側壁１０２、第３側壁１０３および第４側壁１０４の４つの側壁およびこれらに隣接配置した状態で４つの蓋板１０６ａ〜１０６ｂを備えて構成した。しかし、物品収容ケース１００は、載置板の周囲の少なくとも一部を囲む少なくとも３つの側壁を備えて構成されていればよい。したがって、物品収容ケース１００は、第１側壁１０１、第２側壁１０２および第３側壁１０３の３つの側壁を備えて構成することができる。すなわち、物品収容ケース１００は、第４側壁１０４および４つの蓋板１０６ａ〜１０６ｂを省略して構成することができる。
【００４７】
また、上記実施形態においては、物品収容ケース１００は、第１側壁１０１と第４側壁１０４とを互いに連結するための連結部１１９ａ、１１９ｂをそれぞれ備えて構成した。しかし、物品収容ケース１００は、連結部１１９ａ，１１９ｂを省略して構成することもできる。この場合、物品収容ケース１００は、第１側壁１０１の端部と第４側壁１０４の端部とを粘着テープ、接着剤またはステープラなどを用いて連結することができる。
【００４８】
また、上記実施形態においては、物品収容ケース１００は、底板１１０ａ、１１０ｂをそれぞれ備えて構成した。しかし、物品収容ケース１００は、底板１１０ａ、１１０ｂを省略して構成することもできる。この場合、物品収容ケース１００は、載置本体板１１１および斜面板１１４が物品収容ケース１００の下面を構成する。
【００４９】
また、上記実施形態においては、物品収容ケース１００は、折り部１０５，１０８，１０９，１１６ａ，１１６ｂをそれぞれ備えて構成した。しかし、物品収容ケース１００は、折り部１０５，１０９，１１６ａ，１１６ｂを省略して構成することもできる。この場合、物品収容ケース１００は、折り部を形成する位置に折り部であることを示す線状または記号からなる印を付けてもよいし、何ら印になるものを付けなくてもよい。
【００５０】
また、上記実施形態においては、載置本体板１１１は、２つの起立片１１３ａ，１１３ｂをそれぞれ備えて構成した。しかし、載置本体板１１１は、１つまたは３つ以上の起立片を備えて構成してもよい。また、載置本体板１１１は、の起立片１１３ａ，１１３ｂを省略して構成してもよい。
【００５１】
また、上記実施形態においては、物品収容ケース１００は、３つの被収容物ＷＫを収容するように構成した。しかし、物品収容ケース１００は、少なくとも１つの被収容物ＷＫを収容するように構成されていればよい。
【００５２】
また、上記実施形態においては、被収容物ＷＫは、食品を樹脂製の袋内に封入したパウチで構成した。この場合、食品には、固体状、半固体状、流動体状、粉末状または粒状状ものが含まれる。しかし、被収容物ＷＫは、食品以外の物、例えば薬品などを封入したパウチでもよいし、パウチに収容されていない食品自体であってもよい。また、被収容物ＷＫは、食品以外のもの、例えば、石鹸、靴および毛布などの日用品、電化製品、美術工芸品、生花および各種工業部品などが考えられる。
【符号の説明】
【００５３】
ＷＫ…被収容物、
１００…物品収容ケース、１０１…第１側壁、１０２…第２側壁、１０３…第３側壁、１０４…第４側壁、１０５…折り部、１０６ａ〜１０６ｄ…蓋板、１０７…開口部、１０８…折り部、１０９…折り部、
１１０ａ，１１０ｂ…底板、１１１…載置本体板、１１２…挿し込み凹部、１１３ａ，１１３ｂ…起立片、１１４…斜面板、１１５…支持部、１１６ａ，１１６ｂ…折り部、１１７…斜面部、１１８…挿し込み部、１１９ａ，１１９ｂ…連結部。
【図１】
2019023092.tif 000003
【図２】
2019023092.tif 000004
【図３】
2019023092.tif 000005
【図４】
2019023092.tif 000006
【図５】
2019023092.tif 000007